(57)【要約】    【課題】  スモークを悪化させることのなく、ＮＯｘトラップ触媒にトラップされたＮＯｘを脱離・還元処理すると共に、脱離・還元処理用の燃焼モードへの切り替えに伴うトルクショックの発生を抑制する。    【解決手段】  少なくとも上死点近傍で１回行われる予備燃焼と、該予備燃焼が全て終了した後に開始され主トルクを発生させる主燃焼とからなる分割リタード燃焼により、排気空燃比を理論空燃比以下に制御することで、ＮＯｘトラップ触媒にトラップされたＮＯｘを脱離・還元処理する。ここで、ＮＯｘ堆積量が再生許可レベルを超えていて、かつ、過給が未発達で燃料噴射量が所定以上である発進加速状態において、前記分割リタード燃焼によるＮＯｘの脱離・還元処理を行わせる。【選択図】  図６
2005042662.tif 000002
【特許請求の範囲】
【請求項１】
排気浄化装置を排気系に備えた内燃機関において、
前記排気浄化装置の状態に基づいて、少なくとも上死点近傍で１回行われる予備燃焼と、該予備燃焼が全て終了した後に開始され主トルクを発生させる主燃焼とからなる燃焼モードへの切り替え要求を判定し、
前記燃焼モードへの切り替え要求時であってかつ前記機関の過渡運転時に、前記燃焼モードに切り替えることを特徴とする内燃機関の燃焼制御装置。
【請求項２】
内燃機関の燃焼制御装置であって、
前記機関の排気系に配置された排気浄化装置と、
前記機関の燃焼室内に直接燃料を噴射する燃料噴射弁と、
前記機関の過渡運転状態を検出する検出器と、
前記排気浄化装置の状態を検出する検出器と、
前記機関の過渡運転状態及び前記排気浄化装置の状態に基づいて、前記燃料噴射弁に制御信号を出力するコントロールユニットと、
を含んで構成され、
前記コントロールユニットが、
前記排気浄化装置の状態に基づいて、少なくとも上死点近傍で１回行われる予備燃焼と、該予備燃焼が全て終了した後に開始され主トルクを発生させる主燃焼とからなる燃焼モードへの切り替え要求を判定し、
前記燃焼モードへの切り替え要求時であってかつ前記機関の過渡運転時に、前記燃焼モードに切り替えることを特徴とする内燃機関の燃焼制御装置。
【請求項３】
前記機関の過渡運転時が、発進加速時であることを特徴とする請求項１又は２記載の内燃機関の燃焼制御装置。
【請求項４】
前記内燃機関が過給機を備え、
過給圧が所定以下である前記機関の過渡運転時に、前記燃焼モードに切り替えることを特徴とする請求項１又は２記載の内燃機関の燃焼制御装置。
【請求項５】
燃料噴射量が所定量以上である前記機関の過渡運転時に、前記燃焼モードに切り替えることを特徴とする請求項１又は２記載の内燃機関の燃焼制御装置。
【請求項６】
前記内燃機関が過給機を備え、
過給圧が所定以下であってかつ燃料噴射量が所定量以上である前記機関の過渡運転時に、前記燃焼モードに切り替えることを特徴とする請求項１又は２記載の内燃機関の燃焼制御装置。
【請求項７】
前記排気浄化装置における堆積物の量に応じて前記燃焼モードへの切り替え要求を判定することを特徴とする請求項１〜６のいずれか１つに記載の内燃機関の燃焼制御装置。
【請求項８】
前記排気浄化装置が、リーン雰囲気で排気中のＮＯｘをトラップするＮＯｘトラップ触媒であって、
前記ＮＯｘトラップ触媒におけるＮＯｘ堆積量に基づいて前記燃焼モードへの切り替え要求を判定し、
前記燃焼モードにおいて排気空燃比をストイキ以下のリッチ空燃比にすることで、前記ＮＯｘトラップ触媒に堆積したＮＯｘを脱離・還元処理することを特徴とする請求項１〜７のいずれか１つに記載の内燃機関の燃焼制御装置。
【請求項９】
前記主燃焼のための燃料噴射時における筒内温度が自己着火可能な温度を上回るように、前記予備燃焼のための燃料噴射量を制御することを特徴とする請求項１〜８のいずれか１つに記載の内燃機関の燃焼制御装置。
【請求項１０】
前記予備燃焼の燃焼開始時期と前記主燃焼の燃焼開始時期との間隔を、クランク角度で２０°以上に制御することを特徴とする請求項１〜９のいずれか１つに記載の内燃機関の燃焼制御装置。
【請求項１１】
前記主燃焼の終了時期を、圧縮上死点からクランク角度で５０°以降に制御することを特徴とする請求項１〜１０のいずれか１つに記載の内燃機関の燃焼制御装置。
【発明の詳細な説明】
【技術分野】
【０００１】
本発明は、排気系に排気浄化装置を備えた内燃機関において、前記排気浄化装置の状態に応じて燃焼を制御する燃焼制御装置に関する。
【背景技術】
【０００２】
従来、ディーゼルエンジンにおいて、触媒の昇温を促すときに、要求出力に応じて決定された燃料噴射量を、燃料噴射による燃焼が継続するように、圧縮上死点近傍で複数回に分割して噴射させる構成が知られている（特許文献１参照）。
【特許文献１】特開２０００−３２０３８６号公報
【発明の開示】
【発明が解決しようとする課題】
【０００３】
ところで、上記のように分割して噴射された燃料が継続して燃焼する構成では、２回目以降の噴射は、前回に噴射された燃料の火炎中に燃料を噴射することになり、２回目以降に噴射された燃料は、拡散燃焼主体の燃焼となる。
【０００４】
前記拡散燃焼主体の燃焼の場合、空燃比をリッチ化していくと、部分的に空燃比が大きくリッチ化して、スモークが多く発生してしまうことになる。
【０００５】
このため、前記従来の燃焼制御によって、例えば排気空燃比リッチ化して排気浄化装置の再生を図る場合には、多くのスモークが発生してしまうという問題を生じる。
【０００６】
本願発明は上記問題点に鑑みなされたものであり、スモークを悪化させることなく、触媒浄化装置の状態に応じた燃焼状態に制御できる内燃機関の燃焼制御装置を提供することを目的とする。
【課題を解決するための手段】
【０００７】
そのため本発明では、排気浄化装置の状態に基づいて、少なくとも上死点近傍で１回行われる予備燃焼と、該予備燃焼が全て終了した後に開始され主トルクを発生させる主燃焼とからなる燃焼モードへの切り替え要求を判定し、
前記燃焼モードへの切り替え要求時であってかつ前記機関の過渡運転時に、前記燃焼モードに切り替える構成とした。
【発明の効果】
【０００８】
かかる構成によると、前記燃焼モードでは、予備燃焼が終了した後に主燃焼が開始することで、前記主燃焼を予混合燃焼主体の燃焼とすることができ、リッチ化によるスモークの悪化を抑制できる。
【０００９】
また、予備燃焼により筒内温度が高められるので、主燃焼の発生時期をリタードすることができ、これにより排気温度を高くすることも可能である。
【００１０】
従って、排気浄化装置の状態に応じて排気空燃比のリッチ化及び／又は排気温度の昇温が要求されるときに、前記燃焼モードに切り替えることで、スモークを悪化させることなく、前記要求を実現できる。
【００１１】
また、排気浄化装置の状態に基づく前記燃焼モードへの切り替え要求を、機関の過渡運転時に実行させることで、前記燃焼モードへの切り替えを、運転者に気づかれることなく行わせることが可能となる。
【００１２】
即ち、過渡運転時であれば、燃焼モードの切り替えに伴う燃焼音の変化に気づき難く、また、燃焼モードの切り替えに伴うトルク変化が、過渡運転時には定常時に比べて運転者に気づかれ難い。
【発明を実施するための最良の形態】
【００１３】
以下、図面に基づき、本発明の実施形態について説明する。
【００１４】
図１は、車両用内燃機関としてのディーゼルエンジン１の燃焼制御装置を示すシステム構成図である。
【００１５】
エンジン１の吸気通路２の上流に、ターボチャージャ３のコンプレッサ３ａが配置されている。
【００１６】
吸入空気は、前記コンプレッサ３ａによって過給された後、インタークーラ４で冷却され、吸気絞り弁６を通過した後、各気筒の燃焼室内へ流入する。
【００１７】
燃料は、燃料噴射ポンプ８により高圧化されてコモンレール９に送られ、各気筒の燃料噴射弁１０から燃焼室内へ直接噴射される。
【００１８】
即ち、前記燃料噴射ポンプ８，コモンレール９及び燃料噴射弁１０によって、コモンレール式燃料噴射装置が構成される。
【００１９】
そして、燃焼室内に流入した空気と燃焼室内に噴射された燃料とによって生成される混合気は、圧縮着火により燃焼し、排気は排気通路１２へ排出される。
【００２０】
前記排気通路１２へ排出された排気の一部は、排気還流制御弁１９が介装される排気還流通路１１を介して吸気側へ還流される。
【００２１】
排気の残りは、ターボチャージャ３のタービン３ｂを回転駆動し、該タービン３ｂと同軸に設けられる前記コンプレッサ３ａが吸気を過給する。
【００２２】
前記排気通路１２のタービン３ｂの下流には、ＮＯｘトラップ触媒１３及びディーゼルパティキュレートフィルタ(Diesel Particulate Filter；以下「ＤＰＦ」という)１４が、上流側からこの順に配設される。
【００２３】
前記ＮＯｘトラップ触媒１３は、排気空燃比が理論空燃比よりもリーンのときに、排気中のＮＯｘをトラップし、排気空燃比が理論空燃比よりもリッチのときにＮＯｘを脱離して浄化する触媒である。
【００２４】
尚、前記ＮＯｘトラップ触媒１３には、酸化触媒（Ｐｔなどの貴金属）を担持させて、ＨＣ，ＣＯを酸化する機能を持たせてある。
【００２５】
前記ＤＰＦ１４は、排気中の微粒子（ＰＭ：Particulate Matter）を捕集するトラップ機能を有する。
【００２６】
尚、前記ＤＰＦ１４にも酸化触媒（貴金属）を担持させて、排気成分（ＨＣ，ＣＯ）を酸化する機能を持たせてある。
【００２７】
但し、前記ＮＯｘトラップ触媒１３とＤＰＦ１４との配置関係を逆にし、前記ＤＰＦ１４の下流側に前記ＮＯｘトラップ触媒１３を配置することが可能で、また、前記ＤＰＦ１４とＮＯｘトラップ触媒１３とを一体に構成することができる。
【００２８】
エンジンコントロールユニット（以下「ＥＣＵ」と称する）２５には、エンジン１の制御のため、各種センサからの検出信号が入力される。
【００２９】
前記各種センサとしては、エンジン回転速度Ｎｅを検出する回転速度センサ（クランク角センサ）２０、アクセル開度ＡＰＯを検出するアクセル開度センサ２１、前記ＮＯｘトラップ触媒１３の温度を検出する触媒温度センサ２２、前記ＤＰＦ１４の入口側で排気圧力を検出する排気圧力センサ１７、ＤＰＦ１４の温度を検出するＤＰＦ温度センサ２３、ＤＰＦ１４出口側で排気空燃比を検出する空燃比センサ１６が設けられる。
【００３０】
但し、前記ＮＯｘトラップ触媒１３及びＤＰＦ１４の温度は、これらの下流側に排気温度センサを設け、該排気温度センサで検出される排気温度に基づいて推定することができる。
【００３１】
前記ＥＣＵ２５は、前記各種センサの検出信号に基づいて、燃料噴射量及び噴射時期を制御するための燃料噴射弁１０への燃料噴射指令信号、吸気絞り弁６への開度指令信号、排気還流制御弁１９への開度指令信号等を出力する。
【００３２】
また、ＥＣＵ２５は、前記ＮＯｘトラップ触媒１３，ＤＰＦ１４（排気浄化装置）の再生処理を行う。
【００３３】
前記再生処理として、ＤＰＦ１４に堆積した微粒子ＰＭを高温かつリーン雰囲気で酸化させる処理、ＮＯｘトラップ触媒１３に堆積したＮＯｘをリッチ雰囲気での脱離・還元する処理、ＮＯｘトラップ触媒１３の硫黄被毒を高温かつリッチ雰囲気で解除する処理が行われる。
【００３４】
本実施形態のエンジン１では、リーン条件での通常運転において、初期の急激な燃焼を緩和するために、主噴射の前に予備噴射を行う構成としてある。
【００３５】
ここで、予備噴射時期は４０〜１０°ＢＴＤＣ、予備噴射量は１〜３mm3/st、主噴射時期は１０〜−５°ＢＴＤＣ程度に設定され、予備噴射と主噴射との間隔は１０〜３０°ＣＡ（クランク角）程度に設定される。
【００３６】
一方、排気空燃比のリッチ化及び／又は高排気温度が要求される前記ＤＰＦ１４及びＮＯｘトラップ触媒１３の再生時には、前記通常の燃焼モードとは異なる再生用の燃焼モードである分割リタード燃焼に切り替えるよう構成される。
【００３７】
前記通常運転時の燃焼モードにおける予備噴射の設定では、空燃比をリッチ化させるために吸気量を絞ると、筒内の圧縮端温度が低下してしまう。
【００３８】
このため、リッチ化と同時に排気温度を上げるべく主噴射の噴射時期をリタードさせようとしても、要求通りにリタードさせることができず、例えば、硫黄被毒解除に要求される、空気過剰率λが１以下でかつ排気温度が６００℃以上での運転を実現することができない。
【００３９】
そこで、本実施形態では、ＤＰＦ再生等が要求されるときに、前記通常の燃焼モードとは異なる分割リタード燃焼に切り替えて、要求のリッチ空燃比及び／又は高排気温度を実現できるようにしてある。
【００４０】
前記分割リタード燃焼では、少なくとも上死点近傍で１回行われる予備燃焼と、該予備燃焼が全て終了した後に開始され主トルクを発生させる主燃焼とが行われるように、燃料噴射が制御される。
【００４１】
図２は、前記分割リタード燃焼における燃料噴射パターン及び熱発生率を示す。
【００４２】
前記分割リタード燃焼では、まず圧縮行程で燃料を噴射し、圧縮上死点（ＴＤＣ）近傍における筒内温度を高めるための予備燃焼を行わせる。
【００４３】
前記圧縮行程での予備燃焼用の燃料噴射における噴射量は、主燃焼の燃料噴射時の筒内温度が、自己着火可能な温度を上回るために必要な量とする。
【００４４】
上記上死点近傍の予備燃焼によって筒内温度を高めることで、主燃焼のリタードを進めることができる。
【００４５】
尚、分割リタード燃焼における予備燃焼は、１サイクルにおいて複数回行われるようにしてもよく、複数回の予備燃焼のうち少なくとも１回の燃焼が圧縮上死点近傍で起こるように燃料噴射を行う。
【００４６】
また、分割リタード燃焼における予備燃焼は、エンジン１の運転状態（エンジン回転速度Ｎｅ，燃料噴射量など）から筒内の圧縮端温度を推定して、この圧縮端温度に応じて、予備燃焼用の燃料噴射量及び／又は噴射時期を変更するようにしてもよい。
【００４７】
一方、分割リタード燃焼では、前記予備燃焼が終了してから主燃焼が開始するように、主燃焼のための燃料を上死点以降に噴射する。
【００４８】
前記主燃焼のための燃料噴射時期は、主燃焼の燃焼開始時期が、予備燃焼の燃焼開始時期からクランク角度で２０度以上離れた時期になるように制御される。
【００４９】
これにより、主燃焼の予混合燃焼割合を高くすることができ、スモークの排出を抑制することができる。
【００５０】
また、分割リタード燃焼における主燃焼の燃焼終了時期は、圧縮上死点からクランク角度で５０度以上離れた時期に制御される。
【００５１】
これら予備燃焼及び主燃焼からなる分割リタード燃焼では、予備燃焼によって主燃焼のリタード限界を広げることで、目標の排気温度への制御性を向上させることができる。
【００５２】
また、予備燃焼が終了した後に主燃焼が開始するようにすることで、主燃焼の予混合燃焼割合が増し、空燃比のリッチ化によるスモークの増加を抑制することができる。
【００５３】
図３は、前記分割リタード燃焼の主燃焼時期に対する排気ガスの状態を示した図であり、（イ）は排気ガス温度、(ロ)はスモーク濃度、（ハ）はＣＯ（一酸化炭素）濃度、（ニ）はＨＣ濃度を示している。
【００５４】
この図に示すように、主燃焼の時期がリタードされると、それだけ主燃焼の予混合燃焼割合が増えるため、スモークが抑制され、同時に、主燃焼のリタードに伴って排気温度が上昇する。
【００５５】
図４は、前記主燃焼のための目標燃料噴射時期を示す図であり、横軸はエンジン回転速度Ｎｅ、縦軸は燃料噴射量Ｑを示している。
【００５６】
この図に示すように、低負荷・低回転域では、目標排温を達成するために主燃焼をより大きくリタードする必要があり、１回の予備燃焼では、主燃焼の燃料噴射時の筒内温度を高く維持できないこともあり得る。
【００５７】
その場合には、図５に示すように、それぞれの熱発生が重ならないように予備燃焼を複数回行うようにすることで、低負荷・低回転条件であっても要求の高排温を実現できるタイミングにまで主燃焼をリタードさせることが可能である。
【００５８】
次に、前記ＤＰＦ１４及びＮＯｘトラップ触媒１３の再生制御の詳細を、図６〜図１７のフローチャートに基づいて説明する。
【００５９】
図６は、再生制御のメインルーチンを示すフローチャートである。
【００６０】
ステップＳ１では、エンジン回転速度Ｎｅ、アクセル開度ＡＰＯ、ＮＯｘトラップ触媒１３の温度、ＤＰＦ１４の入口側及び出口側の排気圧力、ＤＰＦ１４の温度などの運転状態を読み込む。
【００６１】
また、ステップＳ１では、エンジン回転速度Ｎｅとアクセル開度ＡＰＯとをパラメータとするマップから演算されている燃料噴射量Ｑを読み込む。
【００６２】
ステップＳ２では、前記ＮＯｘトラップ触媒１３が活性状態（暖機状態）であるか否かを判定する。
【００６３】
この判定は、ＮＯｘトラップ触媒１３出口の排気温度センサ１５の出力信号に基づいて算出される排気温度Ｔが、ＮＯｘトラップ触媒１３の活性開始時の所定排気温度Ｔ５より高いか否かにより行う。
【００６４】
前記排気温度Ｔが所定排気温度Ｔ５より高い場合には、ＮＯｘトラップ触媒１３が活性状態であると判断し、ステップＳ３へ進む。
【００６５】
一方、排気温度Ｔが所定排気温度Ｔ５以下である場合には、ＮＯｘトラップ触媒１３が非活性状態であると判定し、図１６のステップＳ１００１へ移行する。
【００６６】
前記ステップＳ１００１以降では、ＮＯｘトラップ触媒１３の活性を促進させる制御が行われるが、係る制御については後で説明する。
【００６７】
ステップＳ３では、ＮＯｘトラップ触媒１３に堆積されたＮＯｘの量を推定する。
【００６８】
前記ＮＯｘ量は、エンジン回転速度Ｎｅや車両走行距離の積算値から推定することができる。
【００６９】
尚、ＮＯｘ量の推定結果は、ＮＯｘの脱離・還元処理が完了した時点（硫黄被毒解除の実施によりＮＯｘの脱離・還元処理が同時になされた場合を含む）でリセットされる。
【００７０】
ステップＳ４では、ＮＯｘトラップ触媒１３に堆積した硫黄分（ＳＯｘ）の量を推定する。
【００７１】
前記硫黄堆積量の推定は、前述のＮＯｘ堆積量と同様に、エンジン回転速度Ｎｅや走行距離の積算値から推定することができ、硫黄被毒解除が完了した時点で推定結果はリセットされる。
【００７２】
ステップＳ５では、ＤＰＦ１４に堆積している微粒子ＰＭの量を推定する。
【００７３】
前記微粒子ＰＭの堆積量は、排気圧力センサ１７により検出されるＤＰＦ１４の入口側排気圧力と、現在の運転状態（エンジン回転速度Ｎｅ，燃料噴射量）に応じた基準排気圧力とを比較することで推定される。
【００７４】
尚、前回のＤＰＦ１４の再生時からの走行距離又はエンジン回転速度Ｎｅの積算値から前記微粒子ＰＭの堆積量を推定させることもでき、更に、走行距離又はエンジン回転速度Ｎｅの積算値と、排気圧力とのを組み合わせから、前記微粒子ＰＭの堆積量を推定することも可能である。
【００７５】
ステップＳ６では、ＤＰＦ１４の再生モード（微粒子ＰＭの酸化処理）中であるか否かを示すｒｅｇフラグを判定する。
【００７６】
そして、ｒｅｇフラグ＝０であってＤＰＦ１４の再生モード中でない場合には、ステップＳ７へ進む。
【００７７】
一方、ｒｅｇフラグ＝１であってＤＰＦ１４の再生モード中である場合には、図７のフローチャートに示すＤＰＦ再生モードの処理を行う。
【００７８】
ステップＳ７では、ＮＯｘトラップ触媒１３の硫黄被毒解除モード中であるか否かを示すｄｅｓｕｌフラグを判定する。
【００７９】
そして、ｄｅｓｕｌフラグ＝０であって硫黄被毒解除モード中でない場合には、ステップＳ８へ進む。
【００８０】
一方、ｄｅｓｕｌフラグ＝１であって硫黄被毒解除モード中である場合には、図８のフローチャートに示す硫黄被毒解除モードの処理を行う。
【００８１】
ステップＳ８では、ＮＯｘトラップ触媒１３における堆積ＮＯｘを脱離・還元処理するために、排気空燃比を一時的にリッチ化するリッチスパイクモード中であるか否かを示すｓｐフラグを判定する。
【００８２】
そして、ｓｐフラグ＝０であってリッチスパイクモード中でない場合には、ステップＳ９へ進む。
【００８３】
一方、ｓｐフラグ＝１であってリッチスパイクモード中である場合には、図９のフローチャートに示すリッチスパイクモードの処理を行う。
【００８４】
ステップＳ９では、ＤＰＦ再生モード又は硫黄被毒解除モード後の溶損防止モード中であるか否かを示すｒｅｃフラグを判定する。
【００８５】
そして、ｒｅｃフラグ＝０であって溶損防止モード中でない場合には、ステップＳ１０へ進む。
【００８６】
一方、ｒｅｃフラグ＝１であって溶損防止モード中である場合には、図１０のフローチャートに示す溶損防止モードの処理を行う。
【００８７】
ステップＳ１０では、ＤＰＦ１４の再生要求が出ているか否かを示すｒｑ−ＤＰＦフラグを判定する。
【００８８】
そして、ｒｑ−ＤＰＦフラグ＝０であってＤＰＦ再生要求が出ていない場合には、ステップＳ１１へ進む。
【００８９】
一方、ｒｑ−ＤＰＦフラグ＝１であってＤＰＦ再生要求が出ている場合には、図１１のフローチャートに示す、優先順位に従った再生モードへの移行処理を行う。
【００９０】
ステップＳ１１では、ＮＯｘトラップ触媒１３の硫黄被毒解除要求が出ているか否かを示すｒｑ−ｄｅｓｕｌフラグを判定する。
【００９１】
そして、ｒｑ−ｄｅｓｕｌフラグ＝０であって被毒解除要求が出ていない場合には、ステップＳ１２へ進む。
【００９２】
一方、ｒｑ−ｄｅｓｕｌフラグ＝１であって被毒解除要求が出ている場合には、図１２のフローチャートに示す、優先順位に従った再生モードへの移行処理を行う。
【００９３】
ステップＳ１２では、ステップＳ４において算出したＤＰＦ１４におけるＰＭ堆積量が、再生が必要な所定量ＰＭ１に達しているか否か、即ち、ＤＰＦ再生時期になったかを判定する。
【００９４】
そして、ＰＭ堆積量＜ＰＭ１であってＤＰＦ再生時期でないと判定された場合には、ステップＳ１３へ進む。
【００９５】
一方、ＰＭ堆積量≧ＰＭ１であってＤＰＦ再生時期であると判定された場合には、図１３のフローチャートのステップＳ７０１へ進み、ｒｑ−ＤＰＦフラグに１をセットして、ＤＰＦ再生要求を出す。
【００９６】
ステップＳ１３では、ステップＳ４において算出したＮＯｘトラップ触媒１３の硫黄堆積量が所定量Ｓ１（被毒解除要求量）に達して、再生時期になったか否か、即ち、硫黄被毒解除要求の要否を判定する。
【００９７】
硫黄堆積量が所定量Ｓ１未満である場合には、硫黄被毒解除が不要と判定し、ステップＳ１４へ進む。
【００９８】
一方、硫黄堆積量Ｓが所定量Ｓ１以上である場合には、硫黄被毒解除が必要と判定し、図１４のフローチャートのステップＳ８０１へ進み、ｒｑ−ｄｅｓｕｌフラグ（硫黄被毒解除要求フラグ）に１をセットして、硫黄被毒解除要求を出す。
【００９９】
ステップＳ１４では、ステップＳ３において算出したＮＯｘトラップ触媒１３のＮＯｘ堆積量が所定量ＮＯｘ１（ＮＯｘ脱離・還元の要求レベル）に達して、ＮＯｘの脱離・還元処理時期になったか否かを判定する。
【０１００】
ＮＯｘ堆積量が所定量ＮＯｘ１未満である場合には、ステップＳ１５へ進む。
【０１０１】
一方、ＮＯｘ堆積量が所定量ＮＯｘ１以上である場合には、ＮＯｘの脱離・還元処理が必要であると判定し、図１５のフローチャートのステップＳ９０１においてｒｑ−ｓｐフラグに１をセットして、ＮＯｘの脱離・還元処理の要求を出す。
【０１０２】
ステップＳ１５では、エンジン１のアイドル状態からの加速時（発進加速時）であって、過給圧が所定以下の未発達状態で、かつ、燃料噴射量Ｑが所定以上の過渡運転状態であるか否かを判別する。
【０１０３】
前記発進加速は、エンジン回転速度，アクセル開度又は燃料噴射量に基づいて判断され、過給圧はエンジン回転速度に基づいて判断される。
【０１０４】
エンジン１の過渡運転時であれば、前記分割リタード燃焼への切り替えに伴う燃焼音の変化が運転者に気づかれ難く、また、過給が未発達であれば吸入空気量の変化が穏やかで燃焼モードの切り替えに伴うトルク変化が小さく、通常燃焼モードから分割リタード燃焼への切り替えが運転者に気づかれ難い。
【０１０５】
また、燃料噴射量Ｑが所定以上であることで、前記分割リタード燃焼における燃焼安定性を確保できる。
【０１０６】
ステップＳ１５で、エンジン１のアイドル状態からの加速時（発進加速時）であって、過給圧が所定以下の未発達状態で、かつ、燃料噴射量Ｑが所定以上の過渡運転状態であると判断されると、ステップＳ１６へ進む。
【０１０７】
ステップＳ１６では、ステップＳ３において算出したＮＯｘトラップ触媒１３のＮＯｘ堆積量が所定量ＮＯｘ２（ＮＯｘ脱離・還元の許可レベル）に達しているか否かを判定する。
【０１０８】
前記所定量ＮＯｘ２（再生許可レベル）は、前記所定量ＮＯｘ１（再生要求レベル）よりも少ない量である。
【０１０９】
ステップＳ１６でＮＯｘ堆積量が所定量ＮＯｘ２以上であると判定されたとき、即ち、ＮＯｘ堆積量が所定量ＮＯｘ１未満かつ所定量ＮＯｘ２以上であるときには、ステップＳ１４でＮＯｘ堆積量が所定量ＮＯｘ１以上であると判定された場合と同様に、図１５のフローチャートのステップＳ９０１においてｒｑ−ｓｐフラグに１をセットして、ＮＯｘの脱離・還元処理の要求を出す。
【０１１０】
これにより、ＮＯｘ堆積量が所定量ＮＯｘ２以上になっていれば、ＮＯｘトラップ触媒１３におけるＮＯｘトラップ能力を再生する処理が、過給圧が所定以下の未発達状態で、かつ、燃料噴射量Ｑが所定以上の状態である発進加速時において逐次行われる。
【０１１１】
従って、比較的頻繁に行う必要があるＮＯｘの脱離・還元処理を、前記分割リタード燃焼への切り替えによって、スモークを発生させることなく、また、運転者に気づかれることなく逐次行って、ＮＯｘトラップ能力を維持することができる。
【０１１２】
尚、ＤＰＦ再生要求及び／又は硫黄被毒解除要求に基づく分割リタード燃焼への切り替えを、エンジン１のアイドル状態からの加速時（発進加速時）であって、過給圧が所定以下の未発達状態で、かつ、燃料噴射量Ｑが所定以上の過渡運転状態において行わせる構成とすることも可能である。
【０１１３】
次に、前記ステップＳ６で、ｒｅｇフラグ＝１と判定されたときのＤＰＦ再生処理を、図７のフローチャートに従って詳細に説明する。
【０１１４】
ステップＳ１０１では、ＤＰＦ再生要求に基づいて、燃焼を通常のリーン燃焼から、少なくとも上死点近傍で１回行われる予備燃焼と、該予備燃焼が全て終了した後に開始され主トルクを発生させる主燃焼とからなる分割リタード燃焼に切り替える。
【０１１５】
燃焼モード切り替えの指示が出た場合は、図１７のフローチャートに示すようにして燃焼の切り替えを行う。
【０１１６】
以下、燃焼切り替えの指示がでた場合はすべて、図１７のフローチャートに示す処理で燃焼切り替えが行われるものとする。
【０１１７】
ステップＳ１１０１では、図１８に示すように、そのときのエンジン回転速度Ｎｅ及び燃料噴射量Ｑに応じて予備燃焼のための燃料噴射量を設定し、かつ、図１９に示すように、そのときのエンジン回転速度Ｎｅ及び燃料噴射量Ｑに応じて予備燃焼のための噴射時期を設定し、前記燃料噴射量を前記噴射時期に噴射させ、予備燃焼を発生させる。
【０１１８】
次いで、ステップＳ１１０２では、図４に示すように、そのときのエンジン回転速度Ｎｅ及び燃料噴射量Ｑに応じて主燃焼のための噴射時期を設定し、該噴射時期に向けて徐々に主燃焼のための噴射時期をリタードさせる。
【０１１９】
ここで、図２０に示すように、主燃焼のための噴射時期がリタードされるほどより大きく噴射量を増量補正する補正係数を、通常の燃料噴射量に積算した量を前記主燃焼のための噴射量とし、主燃焼のための噴射時期がリタードされるに従って燃料を増量し、通常燃焼モード時と同等のトルクが得られるようにする。
【０１２０】
ステップＳ１０２では、図２１に示すように、ＰＭ堆積量に応じてＤＰＦ１４の再生時における目標空燃比を設定する。
【０１２１】
前記目標空燃比は、ＰＭ堆積量が多きときほどリッチに設定され、多量の微粒子が急激に酸化されることがないようにしてある。
【０１２２】
ここで、吸気絞り弁６及び／又は排気還流制御弁１９による新気量の調整によって前記目標空燃比に制御される。
【０１２３】
尚、目標空燃比が理論空燃比もしくはそれに近い値まで小さくなった場合は、吸気絞りによるポンピングロスが生じるため、図２２に示すように目標空燃比に応じた補正係数で主燃焼のための燃料噴射量を補正する。
【０１２４】
ステップＳ１０３では、ＤＰＦ１４の温度が再生中の目標下限値Ｔ２２以上であるか否かを判定する。
【０１２５】
ＤＰＦ温度が目標下限値Ｔ２２以上である場合には、ステップＳ１０４へ進む。
【０１２６】
一方、ＤＰＦ温度が目標下限値Ｔ２２未満である場合には、ステップＳ１１１へ進む。
【０１２７】
ステップＳ１１１では、ＤＰＦ温度を目標下限値Ｔ２２以上に上昇させるべく、主燃焼の燃料噴射時期をリタードする。
【０１２８】
次のステップＳ１１２では、燃料噴射時期のリタードによるトルク落ちを補償するためのトルク補正（主燃焼用噴射量の増量補正）を行う。
【０１２９】
ステップＳ１０４では、ＤＰＦ１４の温度が再生中の目標上限値Ｔ２１以下であるか否かを判定する。
【０１３０】
ＤＰＦ温度が目標上限値Ｔ２１以下である場合には、ステップＳ１０５へ進む。
【０１３１】
一方、ＤＰＦ温度が目標上限値Ｔ２１を越えている場合には、ステップＳ１０９へ進み、主燃焼の燃料噴射時期を進角して、これにより排気温度が低下してＤＰＦ温度が目標上限値Ｔ２１以下になるようにする。
【０１３２】
ステップＳ１０５では、排気空燃比を目標値に制御した時間ｔが基準時間ｔＤＰＦｒｅｇ１だけ経過したか否かを判定する。
【０１３３】
基準時間ｔＤＰＦｒｅｇ１を経過したと判断した場合には、ＤＰＦ再生が終了したものと判断して、ステップＳ１０６へ進む。
【０１３４】
前記ステップＳ１０６では、分割リタード燃焼による運転を通常燃焼による運転に切り替えて、ＤＰＦ１４の加熱を停止させ、目標空燃比を通常値に戻す。
【０１３５】
ステップＳ１０７では、前記ｒｅｇフラグを０にする。
【０１３６】
ステップＳ１０８では、溶損防止モードのｒｅｃフラグに１をセットし、ＤＰＦ１４で燃え残りの微粒子ＰＭが一気に燃えてＤＰＦ１４が溶損することを防止する。
【０１３７】
一方、ステップＳ１０５で、基準時間ｔＤＰＦｒｅｇ１を経過していないと判断した場合には、ＤＰＦ再生を継続させるべく、ステップＳ１０６〜ステップＳ１０８を迂回して本ルーチンを終了させる。
【０１３８】
次に、前記ステップＳ７で、ｄｅｓｕｌフラグ＝１と判定されたときの硫黄被毒解除処理を、図８のフローチャートに従って詳細に説明する。
【０１３９】
ステップＳ２０１では、硫黄被毒解除要求がなされたことに基づいて、分割リタード燃焼に切り替える。
【０１４０】
ステップＳ２０２では、硫黄被毒解除のために空燃比をストイキ（理論空燃比）に制御する。
【０１４１】
前記空燃比の制御は、ＤＰＦ再生時と同様に、吸気絞り弁６や排気還流制御弁１９による新気量の調整で行われる。
【０１４２】
ステップＳ２０３では、ＮＯｘトラップ触媒１３の温度が所定温度Ｔ４より高いか否かを判定する。
【０１４３】
例えば、ＮＯｘトラップ触媒１３としてＢａ系のＮＯｘトラップ触媒を使った場合には、リッチ〜ストイキ雰囲気でＮＯｘトラップ触媒１３の温度を６００℃より高くする必要があることから、所定温度Ｔ４は６００℃以上に設定される。
【０１４４】
触媒温度が所定温度Ｔ４より高い場合には、ステップＳ２０４へ進む。
【０１４５】
一方、触媒温度が所定温度Ｔ４以下場合には、ステップＳ２１０へ進む。
【０１４６】
ステップＳ２１０へ進んだ場合、図７のフローチャートのステップＳ１１１及びステップＳ１１２と同じ処理をする。
【０１４７】
即ち、ステップＳ２１０では、ＮＯｘトラップ触媒１３の温度が所定温度Ｔ４以下であるため、主燃焼の燃料噴射時期をリタード（遅角）して排気温度を上昇させる。
【０１４８】
ステップＳ２１１では、リタードによるトルク減少を、主燃焼用の噴射量の増量で補う。
【０１４９】
一方、ステップＳ２０４では、所定の時間ｔｄｅｓｕｌだけ、ストイキ空燃比及び高排気温度での硫黄被毒解除が行われたか否か、即ち、硫黄被毒解除が完了したか否かを判定する。
【０１５０】
硫黄被毒解除処理の時間ｔが所定の時間ｔｄｅｓｕｌを超えた場合には、ステップＳ２０５へ進む。
【０１５１】
一方、硫黄被毒解除処理の時間ｔが所定の時間ｔｄｅｓｕｌ以下であれば、硫黄被毒解除処理を継続させるべく、ステップＳ２０５〜ステップＳ２０９を迂回して本ルーチンを終了させる。
【０１５２】
ステップＳ２０５では、硫黄被毒解除が終了したので、分割リタード燃焼によるストイキ運転を解除し、通常燃焼に戻す。
【０１５３】
ステップＳ２０６では、溶損防止モードを実行させるべくｒｅｃフラグに１をセットする。
【０１５４】
これにより、排気空燃比を急にリーンにすることでＤＰＦ１４においてＰＭが一気に燃えてしまうことによるＤＰＦ１４の溶損を防止する。
【０１５５】
ステップＳ２０７では、ｄｅｓｕｌフラグを０にし、次のステップＳ２０８では、ＮＯｘトラップ触媒１３の硫黄堆積量を０にリセットにする。
【０１５６】
ステップＳ２０９では、リッチスパイクの要求フラグであるｒｑ−ｓｐフラグを０にする。
【０１５７】
これは硫黄被毒解除を行うことで、ＮＯｘトラップ触媒１３が長時間ストイキの空燃比に晒されることにより、同時にＮＯｘの脱離・還元処理が行われるためである。
【０１５８】
次に、リッチスパイクモード（ＮＯｘの脱離・還元処理）を、図９のフローチャートに基づいて説明する。
【０１５９】
ステップＳ３０１では、通常燃焼から分割リタード燃焼への切り替えを行う。
【０１６０】
ステップＳ３０２では、空燃比を、リッチスパイクを行うための所定の目標空燃比（リッチ空燃比）に制御する。
【０１６１】
ここで、吸入空気量を図２３に示す目標吸気量に調整することで、前記目標空燃比を実現する。
【０１６２】
これにより、ＮＯｘトラップ触媒１３の雰囲気を一時的にリッチ（還元雰囲気）にして、ＮＯｘトラップ触媒１３にトラップされていたＮＯｘを脱離・還元処理する。
【０１６３】
ステップＳ３０３では、リッチスパイク制御を行った時間ｔが所定の時間ｔｓｐｉｋｅを超えたか否かを判定する。
【０１６４】
リッチスパイク制御時間ｔが所定時間ｔｓｐｉｋｅを超えると、ステップＳ３０４へ進む。
【０１６５】
ステップＳ３０４では、スパイクフラグモードを示すｓｐフラグを０にする。
【０１６６】
一方、リッチスパイク制御時間ｔが所定時間ｔｓｐｉｋｅを超えていない場合には、リッチスパイク制御を継続させるべく、ステップＳ３０４を迂回して本ルーチンを終了する。
【０１６７】
次に、溶損防止モードを、図１０のフローチャートに基づいて説明する。
【０１６８】
ステップＳ４０１では、ＤＰＦ１４の温度を検出する。
【０１６９】
ステップＳ４０２では、ＤＰＦ１４の温度が所定温度Ｔ３未満であるか否かを判定することで、ＤＰＦ温度が、微粒子ＰＭの急激な酸化が開始することがない温度領域内であるか否かを判定する。
【０１７０】
ＤＰＦ１４の温度が所定温度Ｔ３以上である場合には、ステップＳ４０５へ進む。
【０１７１】
ステップＳ４０５では、排気温度を低くして、ＤＰＦ１４の温度を所定温度Ｔ３未満に低下させる必要があるので、吸気絞り弁６及び／又は排気還流制御弁１９の制御によって空燃比を所定値以下に制御する。
【０１７２】
一方、ＤＰＦ１４の温度が所定温度Ｔ３未満である場合には、溶損防止策は不要と判断し、ステップＳ４０３へ進む。
【０１７３】
ステップＳ４０３では、前記ステップＳ４０５における空燃比制御を停止させ、次のステップＳ４０４では、前記ｒｅｃフラグを０にする。
【０１７４】
次に、ＤＰＦ再生要求時の処理を、図１１のフローチャートに基づいて説明する。
【０１７５】
ステップＳ５０１では、ＮＯｘトラップ触媒１３における硫黄堆積量が硫黄被毒解除の必要な所定量Ｓ１未満であるか否かを判定する。
【０１７６】
硫黄堆積量が所定量Ｓ１未満である場合には、ステップＳ５０２へ進む。
【０１７７】
一方、硫黄堆積量が所定量Ｓ１以上である場合には、図１４のステップＳ８０１へ進んで、ｒｑ−ｄｅｓｕｌフラグ（硫黄被毒解除要求フラグ）に１をセットする。
【０１７８】
ステップＳ５０２では、リッチスパイク要求（ＮＯｘの脱離・還元処理要求）の有無をｒｑ−ｓｐフラグに基づいて判定する。
【０１７９】
ｒｑ−ｓｐフラグが０であってリッチスパイク要求（ＮＯｘの脱離・還元処理要求）がない場合には、ステップＳ５０３へ進む。
【０１８０】
一方、ｒｑ−ｓｐフラグが１であってリッチスパイク要求（ＮＯｘの脱離・還元処理要求）がある場合には、ステップＳ５０６へ進む。
【０１８１】
ステップＳ５０３では、ＮＯｘトラップ触媒１３におけるＮＯｘ堆積量が、リッチスパイク（ＮＯｘの脱離・還元処理）の必要な所定量ＮＯｘ１未満であるか否かを判定する。
【０１８２】
ＮＯｘ堆積量が所定量ＮＯｘ１未満である場合には、ステップＳ５０４へ進む。
【０１８３】
一方、ＮＯｘ堆積量が所定量ＮＯｘ１以上である場合には、図１５のステップＳ９０１へ進んで、ｒｑ−ｓｐフラグに１をセットする。
【０１８４】
ステップＳ５０４では、分割リタード燃焼によるＤＰＦ再生，硫黄被毒解除が可能な運転領域に、現在の運転条件が該当しているか否かを判定する。
【０１８５】
現在のエンジン回転速度Ｎｅ及び負荷が、前記ＤＰＦ再生，硫黄被毒解除可能領域内に該当する場合には、ステップＳ５０５へ進む。
【０１８６】
ステップＳ５０５では、ｒｅｇフラグに１をセットすることで、ＤＰＦ再生モードの処理が行われるようにする。
【０１８７】
現在のエンジン回転速度Ｎｅ及び負荷が、前記ＤＰＦ再生，硫黄被毒解除可能領域内に該当しない場合には、ＤＰＦ再生が行えないので、ステップＳ５０５を迂回して本ルーチンを終了させる。
【０１８８】
また、ステップＳ５０２からステップＳ５０６へ進んだ場合、即ち、ＤＰＦ再生要求とＮＯｘ脱離・還元処理要求との両方が発生している場合には、現在の運転条件が、ＮＯｘ排出量が少ない運転条件（例えば定常運転条件）であるか否かを判定する。
【０１８９】
ＮＯｘ排出量が多い運転条件である場合には、ステップＳ５０８へ進み、ｓｐフラグを１にすることで、ＤＰＦ再生に対してＮＯｘ脱離・還元処理（リッチスパイク処理）を優先させる。
【０１９０】
一方、ＮＯｘ排出量が少ない運転条件である場合には、ステップＳ５０７へ進む。
【０１９１】
ステップＳ５０７では、ＤＰＦ１４のベッド温度Ｔｂｅｄが所定温度Ｔ３より高いか否かを判定する。
【０１９２】
ＤＰＦ１４のベッド温度Ｔｂｅｄが所定温度Ｔ３より高い場合には、ステップＳ５０４へ進み、運転条件がＤＰＦ再生可能領域に該当していれば、ｒｅｇフラグに１をセットする。
【０１９３】
一方、ＤＰＦ１４のベッド温度Ｔｂｅｄが所定温度Ｔ３以下である場合には、ステップＳ５０８へ進んで、ｓｐフラグに１をセットする。
【０１９４】
これは、ＤＰＦ１４のベッド温度Ｔｂｅｄが所定温度Ｔ３以下である場合には、昇温を開始しても、ベッド温度Ｔｂｅｄが再生可能温度に到達するまで時間がかかるので、ＮＯｘの脱離・還元処理を優先させるためである。
【０１９５】
次に、硫黄被毒解除要求時の処理を、図１２のフローチャートに基づいて説明する。
【０１９６】
ステップＳ６０１では、ＤＰＦ１４に堆積した微粒子ＰＭの量が所定量ＰＭ１未満であるか否かを判定する。
【０１９７】
ＰＭ堆積量が所定量ＰＭ１未満である場合には、ステップＳ６０２へ進む。
【０１９８】
一方、ＰＭ堆積量が所定量ＰＭ１以上である場合には、図１３のステップＳ７０１に進み、ｒｑ−ＤＰＦフラグを１にする。
【０１９９】
ステップＳ６０２では、ＮＯｘトラップ触媒１３のベッド温度Ｔｂｅｄが所定温度Ｔ１より高いか否かを判定する。
【０２００】
尚、前記所定温度Ｔ１は、硫黄被毒解除に適するＮＯｘトラップ触媒１３のベッド温度である。
【０２０１】
そして、ＮＯｘトラップ触媒１３のベッド温度Ｔｂｅｄが所定温度Ｔ１より高い場合には、ステップＳ６０３へ進む。
【０２０２】
ステップＳ６０３では、前記分割リタード燃焼によるＤＰＦ再生，硫黄被毒解除の可能領域に、現在の運転条件が該当しているか否かを判定する。
【０２０３】
現在の運転条件が前記再生可能領域内である場合には、ステップＳ６０４へ進み、ｄｅｓｕｌフラグに１をセットして、硫黄被毒解除処理が行われるようにする。
【０２０４】
一方、現在の運転条件が前記ＤＰＦ再生，硫黄被毒解除の可能領域に該当しない場合には、ステップＳ６０４を迂回して本ルーチンを終了させる。
【０２０５】
また、ＮＯｘトラップ触媒１３のベッド温度Ｔｂｅｄが所定温度Ｔ１以下である場合には、ステップＳ６０５へ進む。
【０２０６】
ステップＳ６０５では、リッチスパイク要求（ＮＯｘ脱離・還元要求）の有無を、ｒｑ−ｓｐフラグに基づいて判定する。
【０２０７】
リッチスパイク要求がない（ｒｑ−ｓｐ＝０）場合には、ステップＳ６０６へ進む。
【０２０８】
ステップＳ６０６では、ＮＯｘ堆積量がＮＯｘの脱離・還元処理を要する所定量ＮＯｘ１未満であるか否かを判定する。
【０２０９】
ＮＯｘ堆積量が所定量ＮＯｘ１未満である場合にはそのまま本ルーチンを終了させ、ＮＯｘ堆積量が所定量ＮＯｘ１以上である場合には、図１５に示すステップＳ９０１においてｒｑ−ｓｐフラグに１をセットし、ＮＯｘ脱離・還元処理要求（リッチスパイク処理要求）を発生させる。
【０２１０】
一方、ステップＳ６０５においてリッチスパイク要求がある（ｒｑ−ｓｐ＝１）と判定された場合には、ステップＳ６０７へ進み、ｓｐフラグに１をセットし、ＮＯｘの脱離・還元処理を行わせるようにする。
【０２１１】
次に、前記分割リタード燃焼を活用してＮＯｘトラップ触媒１３を早期に活性化させる処理を、図１６のフローチャートに基づいて説明する。
【０２１２】
ステップＳ１００１では、ＮＯｘトラップ触媒１３の暖機を促進させる運転が可能であるか否かを判定する。
【０２１３】
即ち、前記分割リタード燃焼によりＮＯｘトラップ触媒１３の暖機促進を図るので、前記ステップＳ１００１では、前記分割リタード燃焼による運転が可能な運転条件であるか否かを判定する。
【０２１４】
分割リタード燃焼による運転によってＮＯｘトラップ触媒１３の暖機促進を図ることができる条件であれば、ステップＳ１００２へ進み、通常の燃焼モードから前記分割リタード燃焼へ切り替える。
【０２１５】
前記分割リタード燃焼では、主燃焼の時期を大きくリタードさせることができ、これによって排気温度の上昇が図られ、ＮＯｘトラップ触媒１３の暖機が促進される。
【０２１６】
ステップＳ１００３では、ＮＯｘトラップ触媒１３の温度が活性温度Ｔ５より高くなったか否かを判定する。
【０２１７】
そして、ＮＯｘトラップ触媒１３の温度が活性温度Ｔ５より高くなると、ステップＳ１００４へ進み、分割リタード燃焼から通常燃焼モードに戻すことで、ＮＯｘトラップ触媒１３の暖機を促進する処理を解除する。
【図面の簡単な説明】
【０２１８】
【図１】実施形態における内燃機関の燃焼制御装置のシステム構成図。
【図２】実施形態における分割リタード燃焼（再生用の燃焼モード）の噴射パターン及び燃焼パターンを示す図。
【図３】実施形態における分割リタード燃焼の主燃焼時期に対する排気ガスの状態を示す図。
【図４】実施形態における分割リタード燃焼の主燃焼のための噴射時期の特性を示す図。
【図５】実施形態における分割リタード燃焼の噴射パターン及び燃焼パターンを示す図。
【図６】実施形態における再生制御のメインルーチンを示すフローチャート。
【図７】実施形態におけるＤＰＦ再生処理を示すフローチャート。
【図８】実施形態における硫黄被毒解除処理を示すフローチャート。
【図９】実施形態におけるリッチスパイク処理を示すフローチャート。
【図１０】実施形態における溶損防止モードを示すフローチャート。
【図１１】実施形態におけるＤＰＦ再生要求時の再生処理の決定を示すフローチャート。
【図１２】実施形態における硫黄被毒解除要求時の再生処理の決定を示すフローチャート。
【図１３】実施形態におけるＤＰＦ再生要求の設定を示すフローチャート。
【図１４】実施形態における硫黄被毒解除要求の設定を示すフローチャート。
【図１５】実施形態におけるリッチスパイク要求の設定を示すフローチャート。
【図１６】実施形態におけるＮＯｘトラップ触媒の活性化を促進する制御を示すフローチャート。
【図１７】実施形態における燃焼モードの切り替え制御を示すフローチャート。
【図１８】実施形態における分割リタード燃焼の予備燃焼のための目標噴射量の特性を示す図。
【図１９】実施形態における分割リタード燃焼の予備燃焼のための目標噴射時期の特性を示す図。
【図２０】実施形態における分割リタード燃焼の主燃焼のための噴射時期とトルク補正係数との相関を示す図。
【図２１】実施形態における微粒子ＰＭ堆積量とＤＰＦ再生時の目標空燃比との相関を示す図。
【図２２】実施形態における分割リタード燃焼の目標空燃比と主燃焼用噴射量の補正係数との相関を示す図。
【図２３】実施形態におけるリッチスパイクにおける目標吸入空気量の特性を示す図。
【符号の説明】
【０２１９】
１…エンジン，２…吸気通路，６…吸気絞り弁，８…燃料噴射ポンプ，９…コモンレール，１０…燃料噴射弁，１１…排気還流通路，１２…排気通路，１３…ＮＯｘトラップ触媒，１４…ＤＰＦ，１６…空燃比センサ，１７…排気圧力センサ，１９…排気還流制御弁，２０…クランク角センサ，２１…アクセル開度センサ，２２…触媒温度センサ，２３…ＤＰＦ温度センサ，２５…ＥＣＵ
【図１】
2005042662.tif 000003
【図２】
2005042662.tif 000004
【図３】
2005042662.tif 000005
【図４】
2005042662.tif 000006
【図５】
2005042662.tif 000007
【図６】
2005042662.tif 000008
【図７】
2005042662.tif 000009
【図８】
2005042662.tif 000010
【図９】
2005042662.tif 000011
【図１０】
2005042662.tif 000012
【図１１】
2005042662.tif 000013
【図１２】
2005042662.tif 000014
【図１３】
2005042662.tif 000015
【図１４】
2005042662.tif 000016
【図１５】
2005042662.tif 000017
【図１６】
2005042662.tif 000018
【図１７】
2005042662.tif 000019
【図１８】
2005042662.tif 000020
【図１９】
2005042662.tif 000021
【図２０】
2005042662.tif 000022
【図２１】
2005042662.tif 000023
【図２２】
2005042662.tif 000024
【図２３】
2005042662.tif 000025